(57)【要約】【課題】機器の運転のオン・オのみを利用者が操作可能とし、それ以外の操作を利用者以外の第三者が操作可能とすることで、なかでも認知症者を含む要介助者が利用する場合に好適な機能制限付きリモコン装置を提供する。【解決手段】機器10の運転／停止釦102と、機器10の運転の条件の設定および変更を行う他の釦103〜110をそれぞれ操作可能とする第１の操作モードと、前記機器10の運転／停止釦102は操作可能とし、当該機器10の運転の条件の設定および変更を行う他の釦103〜110は操作不可能とする第２の操作モードを切り替え可能とする切替スイッチ113を備える。【選択図】図１
2020077931.tif 000002
【特許請求の範囲】
【請求項１】
機器の運転の開始および停止を行う一の釦と当該機器の運転の条件の設定および変更を行う一または複数の釦をそれぞれ操作可能とする第１の操作モードと、前記機器の運転の開始および停止を行う一の釦は操作可能とし、当該機器の運転の条件の設定および変更を行う一または複数の釦は操作不可能とする第２の操作モードを備えており、各操作モードを切り替えるための切替スイッチを備えていることを特徴とする機能制限付きリモコン装置。
【請求項２】
機器の運転の開始および停止を行う一の釦が電源と第１の配線により常時接続されており、機器の運転の条件の設定および変更を行う一または複数の釦が前記電源と第２の配線により並列して接続されており、前記電源と第２の配線の途中に前記切替スイッチが配置されていることを特徴とする請求項１記載の機能制限付きリモコン装置。
【請求項３】
機器の冷房／暖房運転の開始および停止を行う釦と当該機器の冷房／暖房運転の条件の設定および変更を行う釦をそれぞれ操作可能とする第１の操作モードと、機器の冷房運転の開始および停止を行う釦は操作可能とし、当該機器の暖房運転の開始および停止を行う釦と、当該機器の冷房／暖房運転の条件の設定および変更を行う釦はそれぞれ操作不可能とする第２の操作モードと、機器の暖房運転の開始および停止を行う釦は操作可能とし、当該機器の冷房運転の開始および停止を行う釦と、当該機器の冷房／暖房運転の条件の設定および変更を行う釦はそれぞれ操作不可能とする第３の操作モードを、それぞれ切り替え可能な切替スイッチを備えていることを特徴とする請求項１記載の機能制限付きリモコン装置。
【請求項４】
機器の冷房／暖房運転を停止する一の釦が電源と第１の配線により常時接続されており、機器の運転の条件の設定および変更を行う一または複数の釦と前記機器の冷房運転を開始する一の釦と前記機器の暖房運転を開始する一の釦が前記電源と第２の配線により並列して接続されており、機器の冷房運転を開始する一の釦が前記電源と第３の配線により接続されており、機器の暖房運転を開始する一の釦が前記電源と第４の配線により接続されており、前記電源と前記第２から第４の配線の途中に前記切替スイッチが配置されていることを特徴とする請求項３記載の機能制限付きリモコン装置。
【請求項５】
前記切替スイッチは、着脱可能なカバーの内部に設置されたスライドスイッチまたはプッシュスイッチから構成されていることを特徴とする請求項１ないし請求項４のいずれか一項に記載の機能制限付きリモコン装置。
【発明の詳細な説明】
【技術分野】
【０００１】
本発明は、空調機などの機器を操作するリモコン装置に関して、特に認知症などの要介助者の利用に有効な、機能制限付きリモコン装置に関するものである。
【背景技術】
【０００２】
わが国では、男女の平均寿命が年々延びており、高齢者の数が年々増加している。ジムやフィットクラブなどの充実により、高齢者の体力・運動能力は年々向上し、元気な高齢者が増えている。その一方で、認知症の患者も増加しており、厚生労働省の推計によると、認知症の高齢者数は２０１２年に約４６０万人で６５歳以上の約７人に１人であり、これが２０２５年には７００万人を超えて６５歳以上の約５人に１人が認知症になると推計されている。
【０００３】
認知症を患うと、物忘れや認知機能が低下して、日常生活に支障をきたすことになる。例えば、テレビのリモコンは多機能化により多くのボタンが配置されており、認知機能が低下すると、ボタンの操作を間違えたり、ボタンの操作の間違いに気が付かなくなったりする。エアコンの場合は、夏場に暖房を付けたり、冬場に冷房を付けてしまい、長時間気付かずに過ごしてしまうおそれがある。また、夏場の冷房運転時や冬場の暖房運転時に、リモコンの温度設定を誤り、適正温度を大きく越える温度に設定したり、タイマーの設定を誤り、適正時間を大きく下回ったり上回る時間に設定してしまうおそれもある。
【０００４】
従来より、この種のリモコンに誤操作防止用のロックスイッチを設けるようにした提案（特許文献１、２）が知られている。
【先行技術文献】
【特許文献】
【０００５】
【特許文献１】実開昭６０−１４４１８号公報
【特許文献２】特開２０１１−１５８１７３号公報
【発明の概要】
【発明が解決しようとする課題】
【０００６】
しかし、特許文献１のロックスイッチは運転、タイマー、加湿の操作を機械的に無効にするもので、運転の開始と停止も本人以外の周囲の者（家族、介助者）が操作しなければならず、周囲の負担が大きい。特許文献２のスライドスイッチは冷房運転モード（暖房操作無効）と暖房運転モード（冷房操作無効）を切り替えるだけであり、冷房と暖房の誤操作は防止できるが、それ以外の操作（運転切替や設定温度の操作など）は規制できない。
【０００７】
本発明は、上記課題に鑑みてなされたもので、機器の運転のオン・オのみを利用者が操作可能とし、それ以外の操作を利用者以外の第三者が操作可能とすることで、なかでも認知症者を含む要介助者が利用する場合に好適な機能制限付きリモコン装置を提供することを目的とする。
【課題を解決するための手段】
【０００８】
本発明に係る機能制限付きリモコン装置は、
機器の運転の開始および停止を行う一の釦と当該機器の運転の条件の設定および変更を行う一または複数の釦をそれぞれ操作可能とする第１の操作モードと、前記機器の運転の開始および停止を行う一の釦は操作可能とし、当該機器の運転の条件の設定および変更を行う一または複数の釦は操作不可能とする第２の操作モードを備えており、各操作モードを切り替えるための切替スイッチを備えていることを第１の特徴とする。
【０００９】
本発明に係る機能制限付きリモコン装置は、
機器の運転の開始および停止を行う一の釦が電源と第１の配線により常時接続されており、機器の運転の条件の設定および変更を行う一または複数の釦が前記電源と第２の配線により並列して接続されており、前記電源と第２の配線の途中に前記切替スイッチが配置されていることを第２の特徴とする。
【００１０】
本発明に係る機能制限付きリモコン装置は、
機器の冷房／暖房運転の開始および停止を行う釦と当該機器の冷房／暖房運転の条件の設定および変更を行う釦をそれぞれ操作可能とする第１の操作モードと、機器の冷房運転の開始および停止を行う釦は操作可能とし、当該機器の暖房運転の開始および停止を行う釦と、当該機器の冷房／暖房運転の条件の設定および変更を行う釦はそれぞれ操作不可能とする第２の操作モードと、機器の暖房運転の開始および停止を行う釦は操作可能とし、当該機器の冷房運転の開始および停止を行う釦と、当該機器の冷房／暖房運転の条件の設定および変更を行う釦はそれぞれ操作不可能とする第３の操作モードを、それぞれ切り替え可能な切替スイッチを備えていることを第３の特徴とする。
【００１１】
本発明に係る機能制限付きリモコン装置は、
機器の冷房／暖房運転を停止する一の釦が電源と第１の配線により常時接続されており、機器の運転の条件の設定および変更を行う一または複数の釦と前記機器の冷房運転を開始する一の釦と前記機器の暖房運転を開始する一の釦が前記電源と第２の配線により並列して接続されており、機器の冷房運転を開始する一の釦が前記電源と第３の配線により接続されており、機器の暖房運転を開始する一の釦が前記電源と第４の配線により接続されており、前記電源と前記第２から第４の配線の途中に前記切替スイッチが配置されていることを第４の特徴とする。
【００１２】
本発明に係る機能制限付きリモコン装置は、
前記切替スイッチは、着脱可能なカバーの内部に設置されたスライドスイッチまたはプッシュスイッチから構成されていることを第５の特徴とする。
【発明の効果】
【００１３】
以上説明したように、本発明のリモコン装置によれば、空調機などの機器の運転のオン・オフのみを操作可能な操作モードと、運転条件などのそれ以外の操作をも可能とする操作モードを、切替スイッチにより切替可能としたから、前者の操作モードのみを利用者が操作可能とし、後者の操作モードを利用者以外の第三者が操作できるようにすることで、利用者による機器の運転条件の勝手な設定や変更を防止し、利用者が認知症者などの要介助者である場合に利用者の操作による事故を未然に防止できるという効果を奏する。
【００１４】
また、本発明のリモコン装置によれば、リモコン装置に上記のような機能制限を設けることにより、要介助者に対する介助者の負担の軽減も図ることができるという効果を奏する。
【図面の簡単な説明】
【００１５】
【図１】本発明の第１の実施形態を示すリモコン装置とエアコンを示す説明図、
【図２】図１に示すリモコン装置の内部の配線図を示す図、
【図３】（Ａ）は図１に示すリモコン装置の側面を示す図、（Ｂ）はリモコン装置の背面カバーの内部にスライドスイッチを設けた例を示す図、（Ｃ）はリモコン装置の背面カバーの内部にプッシュスイッチを設けた例を示す図、
【図４】本発明の第２の実施形態を示すリモコン装置を示す正面図、
【図５】図４に示すリモコン装置の内部の配線図を示す図、
【図６】図４に示すリモコン装置の側面を示す図である。
【発明を実施するための形態】
【００１６】
以下、本発明を実施するための最良の形態について図面を参照しながら説明する。
【００１７】
図１ないし図３は本発明の第１実施形態を示すもので、符号１０はエアコン、符号１００は機能制限付きリモコン装置を示している。
【００１８】
図１に示すように、機能制限付きリモコン装置１００（以下、リモコン装置１００と称する）は、カバー１０１の正面に、運転／停止釦１０２、運転切替釦１０３、温度上昇設定釦１０４、温度下降設定釦１０５、風量設定釦１０６、風向設定釦１０７、入タイマー設定釦１０８、切タイマー設定釦１０９、タイマー取消設定釦１１０を備えている。
【００１９】
運転／停止釦１０２は運転中に釦を押すと停止し、停止中に釦を押すと運転を開始する。運転切替釦１０３は冷房、暖房、送風、除湿の各運転を切り替える。各釦は例示であり、他の釦（フルパワー、メニュー、診断、リセット等）を組み合わせてよいのは勿論である。
【００２０】
図２は、リモコン装置１００の配線図を示している。同図に示すように、リモコン装置１００の内部には、電源１１１と運転／停止釦１０２を常時接続する第１配線１１２が設けられている。
【００２１】
また、図２の配線図には、電源１１１の下流に切替スイッチ１１３が設けられており、切替スイッチ１１３を介して、電源１１１と各釦、すなわち、運転切替釦１０３、温度上昇設定釦１０４、温度下降設定釦１０５、風量設定釦１０６、風向設定釦１０７、入タイマー設定釦１０８、切タイマー設定釦１０９、タイマー取消設定釦１１０をそれぞれ並列で接続する第２配線１１４が設けられている。第２配線１１４は第１配線１１２の戻り側配線１１２ａに接続されている。
【００２２】
また、同図の配線図に示すように、切替スイッチ１１３を介して、電源１１１と各釦を非接続にする第３配線１１５が設けられている。第３配線１１５は第１配線１１２、第２配線１１４とは接続されていない。
【００２３】
上記配線により、切替スイッチ１１３を第２配線１１４に切り替えると、電源１１１からの電気が第１配線１１２および第２配線１１４の両方に流れ、全部の釦、すなわち、運転／停止釦１０２からタイマー取消設定釦１１０まで全部の釦が操作可能となり（第１操作モード）、切替スイッチ１１３を第３配線１１５に切り替えると、電源１１１からの電気が第１配線１１２側のみに流れることになり、運転／停止釦１０２のみが操作可能となる（第２操作モード）。
【００２４】
切替スイッチ１１３は、図３（Ａ）に示すように、リモコンカバー１０１の、側面にスライドスイッチ１１３Ａとして設け、全釦を操作できる第１操作モード（位置Ａ）、運転／停止のみを操作できる第２操作モード（位置Ｂ）に切替できるようにしてよい。第１モード操作（位置Ａ）は第２配線１１４に接続され、第２モード操作（位置Ｂ）は第３配線１１５に接続される。スライドスイッチ１１３Ａは勝手に切替操作できないようにロック釦１１６で固定できるようにしてよい。
【００２５】
切替スイッチ１１３は、図３（Ｂ）に示すように、利用者が触れづらい場所に設けてよい。図３（Ｂ）の例は、リモコンカバー１０１の背面カバー１０１Ａを開けて、電池（電源）１１１を収納する電池収納部１１７の近くにスライドスイッチ１１３Ｂが設けられている。背面カバー１０１Ａを閉じると、内部のスライドスイッチ１１３Ｂが露出しないので、利用者からスライドスイッチ１１３Ｂを隠すことができる。背面カバー１０１Ａはロック釦１１８で勝手に開けられないように固定することができる。
【００２６】
切替スイッチ１１３は、図３（Ｃ）に示すように、プッシュスイッチ１１３Ｃとして設け、プッシュスイッチ１１３Ｃを押し操作するごとに、上記の第１操作モード、第２操作モードを切り替えできるようにしてよい。
【００２７】
次に上記構成のリモコン装置１００の使用方法について以下に説明する。
【００２８】
利用者の部屋には、図１に示すエアコン１０が設置されている。利用者および介助者はリモコン装置１００でエアコン１０を操作できる。
【００２９】
介助者がリモコン装置１００を操作するときは、図３（Ａ）を参照して、切替スイッチ１１３（１１３Ａ）を第１操作モード（位置Ａ）に切り替える。介助者は、リモコン装置１００からエアコン１０に対し、冷房運転、暖房運転、送風運転、除湿運転の切り替え、温度上昇設定、温度下降設定、風量設定、風向設定、入タイマー設定、切タイマー設定、タイマー取消設定の全てを操作できる。
【００３０】
室温が高くなる時期（夏場など、例えば昼間の最高気温が２８℃以上）は冷房運転に切り替え、温度などの他の設定を行う。室温が低い時期（冬場など、例えば最低気温が１０℃以下）は暖房運転に切り替え、他の設定を行う。
【００３１】
介助者がリモコン装置１００を操作しないときは、リモコン装置１００の切替スイッチ１１３（１１３Ａ）を第２操作モード（位置Ｂ）に切り替える。切り替え後はロック釦１１６で切替位置をロックする。このとき第１操作モード時に設定された運転条件（暖房／冷房／温度／風量など）は保存される。
【００３２】
利用者は、エアコン１０に対しリモコン装置１００を操作できるが、操作できる機能は、第２操作モード（位置Ｂ）に対応する運転と停止（オン・オフ）に制限される。
【００３３】
介助者がリモコン装置１００の第１操作モード（位置Ａ）で部屋のエアコン１０の各種設定を行い、利用者は第２操作モード（位置Ｂ）で運転と停止のみ行えるようにできるから、利用者が夏場に暖房運転をしたり、冬場に冷房運転をすることを阻止できる。
【００３４】
介助者がリモコン装置１００の第１操作モード（位置Ａ）でエアコン１０の各種設定を行った後は、利用者による設定内容の変更を防止できるので、介助者の負担が大きく軽減される。
【００３５】
図４ないし図６は本発明の第２実施形態を示すもので、図中、符号１００’はリモコン装置を示している。なお、図１に示す構成部品と同一の構成部品には同一符号を付してその説明を省略する。
【００３６】
図４に示すように、リモコン装置１００’は、カバー１０１’の正面に、冷房運転釦１２１、暖房運転釦１２２、停止釦１２３、温度上昇設定釦１０４、温度下降設定釦１０５、風量設定釦１０６、風向設定釦１０７、除湿釦１２４、送風運転釦１２５、入タイマー設定釦１０８、切タイマー設定釦１０９、タイマー取消設定釦１１０を備えている。なお、各釦は例示であり、他の釦（フルパワー、メニュー、診断、リセット等）を組み合わせてよいのは勿論である。
【００３７】
図５に示すように、リモコン装置１００’の内部には電源１１１と停止釦１２３を常時接続する第１配線１２６が設けられている。
【００３８】
また、同図の配線図に示すように、電源１１１の下流に切替スイッチ１２７が設けられており、切替スイッチ１２７を介して、電源１１１と各釦、すなわち、冷房運転釦１２１、暖房運転釦１２２、停止釦１２３、温度上昇設定釦１０４、温度下降設定釦１０５、風量設定釦１０６、風向設定釦１０７、除湿釦１２４、送風運転釦１２５、入タイマー設定釦１０８、切タイマー設定釦１０９、タイマー取消設定釦１１０を並列で接続する第２配線１２８が設けられている。第２配線１２８は第１配線１２６の戻り側配線１２６ａに接続されている。
【００３９】
上記第２配線１２８において、冷房運転釦１２１の上流側、暖房運転釦１２２の上流側には、それぞれ電流を一方向のみ流す整流器（ダイオード）１２９が配置されている。整流器１２９の配置により、切替スイッチ１２７を後述する第３配線１３０に切り替えた場合、後述する第４配線１３１に切り替えた場合に、前者は冷房運転釦１２１を通じて、後者は暖房運転釦１２２を通じて、他の釦（符号１０４〜１２５）に電流が流れ、他の釦（符号１０４〜１２５）の操作が可能となることを防止している。
【００４０】
また、同図の配線図に示すように、切替スイッチ１２７を介して、電源１１１と冷房運転釦１２１を接続する第３配線１３０、切替スイッチ１２７を介して、電源１１１と暖房運転釦１２２を接続する第４配線１３１が設けられている。
【００４１】
上記配線により、切替スイッチ１２７を第２配線１２８に切り替えると、電源１１１からの電気が第１配線１２６および第２配線１２８の両方に流れ、全部の釦、すなわち、冷房運転釦１２１からタイマー設定取消釦１１０までの全部の釦が操作可能となる（第１操作モード）。切替スイッチ１２７を第３配線１３０に切り替えると、電源１１１からの電気が第１配線１２６と第３配線１３０のみに流れ、冷房運転釦１２１および停止釦１２３（冷房運転のオン・オフ）のみが操作可能となる（第２操作モード）。また、切替スイッチ１２７を第４配線１３１に切り替えると、電源１１１からの電気が第１配線１２６と第４配線１３１のみに流れ、暖房運転釦１２２および停止釦１２３（暖房運転のオン・オフ）のみが操作可能となる（第３操作モード）。
【００４２】
切替スイッチ１２７は、図６に示すように、リモコンカバー１０１’の側面にスライドスイッチ１２７Ａとして設け、全釦を操作できる第１操作モード（位置Ａ）、冷房運転と停止のみを操作できる第２操作モード（位置Ｂ）、暖房運転と停止のみを操作できる第３操作モード（位置Ｃ）に切替できるようにしてよい。また、切替スイッチ１２７は、前記実施形態のように、着脱可能な背面カバーの内部にスライドスイッチまたはプッシュスイッチとして設けてよい。
【００４３】
第１モード操作（位置Ａ）は第２配線１２８に接続され、第２モード操作（位置Ｂ）は第３配線１３０に接続され、第３モード操作（位置Ｃ）は第４配線１３１に接続される。スライドスイッチ１２７Ａは勝手に切替操作できないようにロック釦１３２で固定できるようにしてよい。
【００４４】
本実施形態のリモコン装置１００’によると、上記実施形態の例を参照して、介助者がリモコン装置１００’を操作しないときは、切替スイッチ１２７（１２７Ａ）を第１操作モード（位置Ａ）から第２操作モード（位置Ｂ）または第３操作モード（位置Ｃ）に切り替え、切替後はロック釦１３２で切替位置をロックする。室温が高くなる時期（夏場など）は第２モード操作に切り替え、室温が低い時期（冬場など）は第３操作モードに切り替える。
【００４５】
利用者は、エアコン１０に対しリモコン装置１００’を操作できるが、操作できる機能は、第２操作モード（位置Ｂ）に対応する冷房運転と停止、第３操作モード（位置Ｃ）に対応する暖房運転と停止に制限される。第２操作モードに対応する冷房運転時、第３操作モードに対応する暖房運転時の各種設定（温度、風量、風向、入タイマー、切タイマー、除湿等）は介助者による第１モード操作に対応する設定が保存される。
【００４６】
介助者がリモコン装置１００’の第１操作モード（位置Ａ）で部屋のエアコン１０の各種設定を行い、利用者は第２操作モード（位置Ｂ）で冷房運転と停止のみ、第３操作モード（位置Ｃ）で暖房運転と停止のみ行えるように運用できるから、前記実施形態で述べたような不具合を防止することができる。
【００４７】
以上の実施形態では、エアコンの例について説明したが、リモコン装置で操作する機器はこれに限らない。他の機器として、室内暖房機、扇風機、加湿器、除湿器、テレビ、音楽機器などにも適用できる。室内暖房機では温度、風量、タイマーの各設定、扇風機では風量、風向き、タイマーの各設定、テレビや音楽機器の場合は音量の設定などの操作を制限できる。
【００４８】
以上の実施形態における利用者は、特に高齢者、なかでも認知症者を含む要介助者などを対象としており、また、介助者は、例えば利用者の家族、施設のヘルパー、介助サービス者などを対象としている。本発明に係るリモコン装置を使用することで、認知症などに基づく事故を未然に防止できる。
【００４９】
かくして、本発明によれば、機器の運転のオン・オフのみを利用者が操作可能とし、それ以外の操作を利用者以外の第三者が操作可能とすることで、特に認知症などに基づく事故を未然に防止し、かつ、周囲の負担も併せて軽減を図ることが可能なリモコン装置を実現することができた。
【産業上の利用可能性】
【００５０】
本発明に係るリモコン装置は、空調機などの機器を操作するリモコン装置として、なかでも認知症者を含む要介助者の利用に好適な機能制限付きリモコン装置として利用可能である。
【符号の説明】
【００５１】
１０  エアコン
１００，１００’  リモコン装置（機能制限付きリモコン装置）
１０１，１０１’  リモコンカバー
１０１Ａ  背面カバー
１０２  運転／停止釦
１０３  運転切替釦
１０４  温度上昇設定釦
１０５  温度下降設定釦
１０６  風量設定釦
１０７  風向設定釦
１０８  入タイマー設定釦
１０９  切タイマー設定釦
１１０  タイマー取消設定釦
１１１  電源
１１２，１２６  第１配線
１１３，１２７  切替スイッチ
１１３Ａ，１１３Ｂ、１２７Ａ  スライドスイッチ
１１３Ｃ  プッシュスイッチ
１１４，１２８  第２配線
１１５，１３０  第３配線
１１６，１１８，１３２  ロック釦
１１７  電池収納部
１２１  冷房運転釦
１２２  暖房運転釦
１２３  停止釦
１２４  除湿釦
１２５  送風運転釦
１２９  整流器
１３１  第４配線
【図１】
2020077931.tif 000003
【図２】
2020077931.tif 000004
【図３】
2020077931.tif 000005
【図４】
2020077931.tif 000006
【図５】
2020077931.tif 000007
【図６】
2020077931.tif 000008